(57)【要約】      （修正有）【課題】消費電力を抑えながら、灯元位置付近の灯火照度を適度に保ち、植物への光害を発生させず且つ害虫の忌避効果を有する害虫防除灯を提供する。【解決手段】支持棒４０の上端にて水平方向に拡がって固定された非透光性のソケットと、ソケットの上部中央に取り付けられた縦型ランプ３と、片側全面に透光性の塗膜層１２が施されたグローブ球１を具備する。縦型ランプ３は少なくとも、複数本の縦長形状の発光体３０を近接させて柱状に立設した柱状の側方発光体群３１を有する。柱状の側方発光体群３１の各発光体３０は柱状の周側面に沿って側方発光し、この側方発光の光の一部がグローブ球１の塗膜層１２で反射及び屈折透過して、ソケットの下方を、特定の虫への防除色で光量調整しつつ照射する。【選択図】図２
0003213543.tif 000002
【実用新案登録請求の範囲】
【請求項１】
設置面上に縦方向に立設される支持棒と、
支持棒の上端にて水平方向に拡がって固定された非透光性のソケットと、
ソケットの上部中央に取り付けられた縦型ランプと、
ソケットの上部中央に取り付けられてソケット及び縦型ランプを纏めて球状又は多角形状に覆う透光体からなるグローブ球と、を具備する害虫防除灯であって、
前記縦型ランプは少なくとも、側方へ発光する複数本の縦長形状の発光体を近接させて柱状に立設してなる柱状の側方発光体群３１を有し、
前記ソケットは縦型ランプの平面視形状よりも大きな平面視形状からなると共に、発光体から下方への直接の照射光を遮蔽するものであり、
前記グローブ球は前記ソケットの平面視形状よりも大きな平面視形状からなると共に、球状又は多角形状の透光体の片側全面に透光性の塗膜層が施されるものであり、
前記柱状の側方発光体群３１の各発光体は柱状の周側面に沿って周囲側方へ側方発光し、この側方発光の光の一部がグローブ球の塗膜層で反射及び屈折透過して、ソケットの下方を、特定の虫への防除色で照射することを特徴とする害虫防除灯。
【請求項２】
前記縦型ランプは、板面から側方向へ発光する縦長板形状の複数本の発光体を近接させて柱状に立設してなる柱状の側方発光体群３１と、上側方へ発光する発光体を前記柱状の側方発光体群３１の天面部分に環状に配置してなる環状の上方発光体群と、を有し、
前記柱状の側方発光体群３１の各発光体は柱状の周側面に沿って周囲側方へ側方発光し、この側方発光の光の一部がグローブ球の塗膜層で反射及び屈折透過して、ソケットの下方を、特定の虫への防除色で照射すると共に、
前記上方発光体群の各発光体は柱状の天面から周囲上方へ上方発光し、この上方発光の光の一部がグローブ球の塗膜層で反射及び屈折透過して、ソケットの下方を、特定の虫への防除色で照射する、請求項１に記載の害虫防除灯。
【請求項３】
前記縦型ランプは、
縦方向に伸長した複数本の発光体を筒状に配置することで、筒状の中央部に縦方向に中央空間を有した発光体群と、前記中央空間内を上方又は下方へ送風するファンと、を具備してなり、
発光体は複数のＬＥ発光素子を外面に備えてなり、ファンの送風によって発光時の発光体を冷却する、
請求項１又は２に記載の害虫防除灯。
【請求項４】
塗膜層は黄色顔料を含むと共に、
グローブ球の最大径部よりも下部の範囲の下部塗膜層が、グローブ球の最大径部を含む高さ方向の中央範囲の中央塗膜層よりも大きい塗膜厚さからなる、請求項１、２、又は３のいずれかに記載の害虫防除灯。
【請求項５】
グローブ球の最大径部よりも下部の範囲の下部塗膜層と、グローブ球の最大径部を含む高さ方向の中央範囲の中央塗膜層との層境界は、前記発光体群の下端の高さと同じかそれよりも下方に設定される、
請求項４に記載の害虫防除灯。
【請求項６】
塗膜層は黄色顔料を含むと共に、
グローブ球の最大径部よりも上部の範囲の上部塗膜層が、グローブ球の最大径部を含む高さ方向の中央範囲の中央塗膜層よりも大きい塗膜厚さからなる、請求項１、２、３、４、又は５のいずれかに記載の害虫防除灯。
【請求項７】
グローブ球の最大径部よりも上部の範囲の上部塗膜層と、グローブ球の最大径部を含む高さ方向の中央範囲の中央塗膜層との層境界は、前記発光体群の上端の高さと同じかそれよりも上方に設定される、請求項６に記載の害虫防除灯。
【考案の詳細な説明】
【技術分野】
【０００１】
本発明は、灯火光によって害虫の飛来を防除する、害虫防除灯に関する。
【背景技術】
【０００２】
灯火光によって害虫の飛来を防除する害虫防除灯として種々のものが従来から開発・提案されている。
【０００３】
従来技術として、例えば、特許文献１には、落下した夜行性昆虫による加害活動を抑制することが可能となる防虫器が開示される。この防虫器（１００）は、一方端が地中に埋設される埋設部を有すると共に、他方端に光源（１２０）を有する支柱（１１０）と、前記支柱（１１０）の周囲に配され、前記支柱（１１０）との間に所定の離間部（１３２）を有するスリーブ部（１３０）と、前記スリーブ部（１３０）の上方に設けられる反射皿（１３５）部と、前記光源（１２０）を覆うように配され、天頂に反射部（１４５）が設けられ、前記反射皿部上に固定されるグローブ球（１４０）と、前記スリーブ部（１３０）の下方の前記支柱（１１０）に取り付けられるネット部材（１５０）と、からなる。
【先行技術文献】
【特許文献】
【０００４】
【特許文献１】特開２０１６−２０８９１２公報
【考案の概要】
【考案が解決しようとする課題】
【０００５】
しかしながら、従来の害虫防除灯は灯元位置付近の灯火照度を適度に保つことが困難であった。
すなわち、支柱の上端に反射皿を取り付け、反射皿上に縦型の光源を取り付けると、反射皿に光源の光が遮られることによって、取り付け位置の直下部分である灯元での照度が不足する場合があった。照度不足の領域が部分的にでも発生してしまうと、特定の害虫の忌避効果を十分に発揮することができない。
【０００６】
一方、このような照度不足をなくすために灯元方向への照度分布の広い光源を使用したり、照度が低い灯元付近へ追加消灯させたりすると、照度は上がり特定の害虫の忌避効果を発揮するものの、高すぎる照度と灯火熱によって栽培植物の生育に悪影響を与える、いわゆる光害が発生する場合があった。また追加消灯によって消費電力が嵩むものとなってしまう。
【０００７】
そこで本願は、消費電力を抑えながら、灯元位置付近の灯火照度を適度に保ち、植物への光害を発生させず且つ害虫の忌避効果を有する害虫防除灯を提供することを課題とする。
【課題を解決するための手段】
【０００８】
上記の課題を解決すべく、本考案に係る害虫防除灯は、以下の各構成を具備するものとしている。なお以下の構成名称に続けて記載する数字乃至アルファベット列は実施例の構成を参照して理解するために便宜的に付した符号であり、これによって構成の概念や形状を特定するものではない。
【０００９】
本考案の害虫防除灯は、基本的に、
設置面上に縦方向に立設される支持棒４０と、
支持棒の上端にて水平方向に拡がって固定された非透光性のソケット２と、
ソケットの上部中央に取り付けられた縦型ランプ３と、
ソケットの上部中央に取り付けられてソケット２及び縦型ランプ３を纏めて球状又は多角形状に覆う透光体からなるグローブ球１と、を具備する害虫防除灯であって、
前記縦型ランプ３は少なくとも、側方へ発光する複数本の縦長形状の発光体３０を近接させて柱状に立設してなる柱状の側方発光体群３１を有し、
前記ソケット２は縦型ランプ３の平面視形状よりも大きな平面視形状からなると共に、発光体３１から下方への直接の照射光を遮蔽するものであり、
前記グローブ球１は前記ソケット２の平面視形状よりも大きな平面視形状からなると共に、球状又は多角形状の透光体の片側全面に透光性の塗膜層１２が施されるものであり、
前記柱状の側方発光体群３１の各発光体３０は柱状の周側面に沿って周囲側方へ側方発光し、この側方発光の光の一部がグローブ球１の塗膜層１２で反射及び屈折透過して、ソケット２の下方を、特定の虫への防除色で照射することを特徴とする。
【００１０】
また、前記縦型ランプ３は、
板面から側方向へ発光する縦長板形状の複数本の発光体３１を近接させて柱状に立設してなる柱状の側方発光体群３１と、
上側方へ発光する発光体３０を前記柱状の側方発光体群３１の天面部分に環状に配置してなる環状の上方発光体群と、を有し、
前記柱状の側方発光体群３１の各発光体３０は柱状の周側面に沿って周囲側方へ側方発光し、この側方発光の光の一部がグローブ球１の塗膜層１２で反射及び屈折透過して、ソケット２の下方を、特定の虫への防除色で照射すると共に、
前記上方発光体群の各発光体３０は柱状の天面から周囲上方へ上方発光し、この上方発光の光の一部がグローブ球１の塗膜層１２で反射及び屈折透過して、ソケット２の下方を、特定の虫への防除色で照射することが好ましい。
【００１１】
或いはまた、前記縦型ランプ３は、
縦方向に伸長した複数本の発光体３１を筒状に配置することで、筒状の中央部に縦方向に中央空間を有した発光体群と、
前記中央空間内を上方又は下方へ送風するファン３４と、を具備してなり、
発光体は複数のＬＥＤ発光素子を外面に備えてなり、
ファン３４の送風によって発光時の発光体３１を冷却することが好ましい。
【００１２】
前記塗膜層１２は黄色顔料を含むと共に、
グローブ球の最大径部よりも下部の範囲の下部塗膜層１２Ｂが、
グローブ球の最大径部を含む高さ方向の中央範囲の中央塗膜層１２Ａよりも大きい塗膜厚さからなることが好ましい。
【００１３】
この下部塗膜層１２Ｂを有する形態においてはさらに、グローブ球の最大径部よりも下部の範囲の下部塗膜層１２Ｂと、
グローブ球の最大径部を含む高さ方向の中央範囲の中央塗膜層１２Ａとの層境界（下部の層境界１４Ｌ）は、前記発光体群の下端の高さと同じかそれよりも下方に設定されることが好ましい。
【００１４】
或いはまた、塗膜層１２は黄色顔料を含むと共に、
グローブ球の最大径部よりも上部の範囲の上部塗膜層１２Ｄが、グローブ球の最大径部を含む高さ方向の中央範囲の中央塗膜層１２Ａよりも大きい塗膜厚さからなることが好ましい。
【００１５】
この下部塗膜層１２Ｂを有する形態においてはさらに、グローブ球の最大径部よりも上部の範囲の上部塗膜層１２Ｄと、グローブ球の最大径部を含む高さ方向の中央範囲の中央塗膜層１２Ａとの層境界（上部の層境界１３Ｌ）は、前記発光体群の上端の高さと同じかそれよりも上方に設定されることが好ましい。
【考案の効果】
【００１６】
以上説明したように、本考案によれば、消費電力を抑えながら、灯元位置付近の灯火照度を適度に保ち、植物への光害を発生させず且つ害虫の忌避効果を有する害虫防除灯を提供することができる。
【図面の簡単な説明】
【００１７】
【図１】本考案の実施例１に係る害虫防除灯の設置状態例を示す正面図。
【図２】実施例１に係る害虫防除灯の灯火部分の正面視における拡大部分断面図。
【図３】取り外したグローブ球１の底面図。
【図４】グローブ球１及びランプ３を取り外した状態のソケット２の平面図。
【図５】分解状態のランプ３の各構成の平面図。
【図６】害虫防除灯の灯火部分の形態例のバリエーションを示す正面視拡大図。
【図７】図６に示す各形態例ａｂｃｄの水平距離と照度の関係を示すグラフ。
【図８】害虫防除灯の各形態例ａｃｅの水平距離と照度の関係を示すグラフ。
【図９】害虫防除灯の各形態例ｄｅの波長と焦土の関係を示すグラフ。
【考案を実施するための形態】
【００１８】
以下、実施例に係る害虫防除灯について説明する。本考案の害虫防除灯はその基本構成として、実施例１として図１に示すように設置面上に縦方向に立設される支持棒４０と、
支持棒の上端にて水平方向に拡がって固定された非透光性のソケット２と、
ソケットの上部中央に取り付けられた縦型ランプ３と、
ソケットの上部中央に取り付けられてソケット２及び縦型ランプ３を纏めて球状又は多角形状に覆う透光体からなるグローブ球１と、を具備する。
支持棒４０は下端に羽根状の固定部材４２及び固定螺子４３が設けられてこの部分が設置部Ｇ内に埋設されると共に、埋設部上方近傍の支持棒下部が固定杭１からワイヤー５２で側方から張架連結される。支持棒４０の上部はスリーブ状の拡径した短筒４１が支持棒周囲に隙間を有して設けられ、グローブ球１の内部の空気を排出するものとなっている。
グローブ球１の内部には図２に示すように、支持棒４０の上端が水平方向に拡がって固定された非透光性の板状のソケット２に固定され、このソケットの中央上部に立設した連結螺子筒２５を介して、側方周囲及び上方へ光照射する縦型ランプ３が連結される。
【００１９】
これら構成において、少なくとも、
前記縦型ランプ３は少なくとも、側方へ発光する複数本の縦長形状の発光体３０を近接させて柱状に立設してなる柱状の側方発光体群３１を有し、
前記ソケット２は縦型ランプ３の平面視形状よりも大きな平面視形状からなると共に、発光体３１から下方への直接の照射光を遮蔽するものであり、
前記グローブ球１は前記ソケット２の平面視形状よりも大きな平面視形状からなると共に、球状又は多角形状の透光体の片側全面に透光性の塗膜層１２が施されるものであり、
前記柱状の側方発光体群３１の各発光体３０は柱状の周側面に沿って周囲側方へ側方発光し、この側方発光の光の一部がグローブ球１の塗膜層１２で反射及び屈折透過して、ソケット２の下方を、特定の虫への防除色で照射することを特徴とする。
【００２０】
（グローブ球１）
グローブ球１は、図２及び図３に示すように、縦型ランプ３をまとめて覆い収容する、下部のみが開口した球型又は立体形状の透光体（例えばアクリル製ないしガラス製の透明グローブ）からなり、球型又は立体形状の透光体の下部にドーナツ状の底部が延長形成されると共に、このドーナツ状の底部の下面に、さらに細いドーナツ状の固定板１１が固着される。固定板１１は挿入部を有した長穴からなるピン孔１１Ｈが複数個、底面視にて周方向に離間して形成される。固定板１１のドーナツ状の内孔縁が中央孔１０Ｈとなっている。
【００２１】
またグローブ球１は透光体の内面全体に塗膜層１２が形成される。塗膜層１２は後述のように、塗膜範囲を上部、中央部、下部、底部に分けて規定される。
【００２２】
（ソケット２）
ソケット２は、図２及び図４に示すように、全体が部分球型の平面視円形の皿状体からなると共に固定板１１をはめ込み固定する枠体２１と、枠体２１の内部上面を水平に覆う底板２１０と、底板２１０の中央孔に嵌め込み固定された縦型の連結螺子筒２５と、グローブ球１の中央孔１０Ｈの孔縁をはめ込み固定するための係止爪２２Ｆと、グローブ球１の固定板１１を支えるべく複数個所で立設した支持棒２４Ｂと，グローブ球１のピン孔１１Ｈに挿通してグローブ球１をピン固定する支持ピン２３と、を具備する。支持ピン２３及び係止爪２２Ｆはソケット２の分解状態の平面視（図４）に示すように連続形成されており、これらを支える枠体２１の底面２１０は中央へ伸長するリブ２２Ｌによって補強されている。リブ２２Ｌは三本が平面視にて中央へ向かって伸長すると共に、連結螺子枠２５の外周に短筒状に形成された二重枠部２６と連なる。この二重枠部２６は周囲を覆う弾性の覆い枠２７を介して支持棒４０及び支持棒上端の短筒４１に連結される。
【００２３】
（縦型ランプ３）
縦型ランプ３は、図２及び図５に示すように、
縦方向に伸長した複数本の発光体３１を筒状かつ柱状に立設してなることで、筒状の中央部に縦方向に中央空間を有した柱状の側方発光体群３１と、
柱状の側方発行体群の全体の下部をまとめて覆い、縦方向に伸長した複数本の発光体３１の下端を固定すると共に、ソケット２の連結螺子筒２５に高さ調節可能に螺子連結された下方カバー３２と、
上側方へ発光する発光体３０を前記柱状の側方発光体群３１の天面部分に環状に配置してなる環状の上方発光体群と、
柱状の側方発行体群の全体の上部をまとめて覆い、縦方向に伸長した複数本の板状発光体３０の上端を固定すると共に、環状の上方発光体群の上方を透光体で覆う扁平球冠状の上方カバー３３と、
下方カバー３３の上面中央に固定され、前記中央空間内を上方へ送風するファン３４と、から構成される。
【００２４】
このうち、柱状の側方発光体群３１の板状発光体３０は、柱状の周側面に沿って周囲側方へ側方発光し、この側方発光の光の一部がグローブ球１の塗膜層１２で反射及び屈折透過して、ソケット２の下方を、特定の虫への防除色で照射する。各板状発光体３０は複数のＬＥＤ発光素子３０Ｌを外面に並べ備えてなる。
また、ファン３４の上方送風によって発光時の発光体３１を冷却する。冷却風は下方ソケット３２の通気孔３２１から排気され、グローブ球１内の空気を循環させたのちに、短筒４１と支持棒４０の隙間から外部へ排気される。
【００２５】
また、上方発光体群の各発光体３０は前記柱状の側方発光体群３１の天面部分に環状に配置してなると共に、扁平球冠状の上方カバー３３でまとめて覆われることで、柱状の天面から周囲上方へ上方ないし側方へ拡散発光し、この拡散発光の光の一部がグローブ球１の塗膜層１２で反射及び屈折透過して、ソケット２の下方を、特定の虫への防除色で照射する。
（塗膜層１２）
塗膜層１２は黄色顔料及び僅かな緑色顔料を含む透光性の着色塗膜層である。
【００２６】
塗膜層１２は、グローブ球１の内面全体に塗工形成されるものであるが、層の表面領域は図２に示す４つの領域に分けられる。すなわち、
グローブ球の球状内面のうち、平面視最大径部を含む所定の高さ方向の範囲からなる中央塗膜層１２Ａと、
グローブ球の球状内面のうち、中央塗膜層１２Ａの下部であってグローブ球１全高の三分の一以下の高さ方向の範囲からなる下部塗膜層１２Ｂと、
グローブ球の球状体の下端から一体的に連なる水平の孔明き円盤の上面全体の、ドーナツ状の範囲からなる底部塗膜層１２Ｃと、
グローブ球の球状内面のうち、中央塗膜層１２Ａの上部であってグローブ球１全高の三分の一以下の高さ方向の範囲からなる上部塗膜層１２Ｄと、である。
【００２７】
図２及び図６ｂに示す実施例１においては、グローブ球１の最大径部の高さ方向の位置よりも下方の範囲の下部塗膜層１２Ｄは、グローブ球の最大径部を含む高さ方向の中央範囲の中央塗膜層１２Ａの２倍乃至４倍の範囲内の、中央塗膜層よりも大きい塗膜厚さからなる。この塗膜厚さは２度、３度、ないし４度の重ね塗りによって形成される。
【００２８】
また実施例１においては、図２に示すように、グローブ球の最大径部よりも下部の範囲の下部塗膜層１２Ｂと、グローブ球の最大径部を含む高さ方向の中央範囲の中央塗膜層１２Ａとの層境界（下側の層境界１４Ｌ）は、前記発光体群の下端の高さと同じかそれよりも下方に設定される、この場合では下方への透過は減少し、上方への反射が増大する。
【００２９】
図６ｃに示す実施例２においては、グローブ球１の最大径部よりも上部の範囲の上部塗膜層１２Ｄが、グローブ球の最大径部を含む高さ方向の中央範囲の中央塗膜層１２Ａの２倍乃至４倍の範囲内の、中央塗膜層よりも大きい塗膜厚さからなる。この塗膜厚さは２度、３度、ないし４度の重ね塗りによって形成される。
【００３０】
このとき、図６ｃに示すように、グローブ球の最大径部よりも上部の範囲の上部塗膜層１２Ｄと、グローブ球の最大径部を含む高さ方向の中央範囲の中央塗膜層１２Ａとの層境界（上側の層境界１３Ｌ）は、前記発光体群の上端の高さと同じかそれよりも上方に設定される。
【００３１】
図６はグローブ球１への塗膜層１２の形成形態を変えた３つの実施形態ａ、ｂ、ｃと比較用の参考形態ｄの形態比較図である。
実施形態ａは実施例３として、グローブ球１の球状透光体の内面全面に黄色の塗膜層１２を均一に１回塗りで形成したものである。
実施形態ｂは実施例１として記載したように、グローブ球１の球状透光体の全面に黄色の塗膜層１２を均一に１回塗りで内面形成した後、下部略三分の一の範囲（水平な下部の層境界１４Ｌを含む下方範囲）に同じ黄色の塗膜層１２を重ね塗りによって２倍厚さで内面形成したものである。
実施形態ｃは実施例２として記載したように、グローブ球１の球状透光体の全面に黄色の塗膜層１２を均一に１回塗りで内面形成した後、上部略四分の一の範囲（水平な上部の層境界１３Ｌを含む上方範囲）に同じ黄色の塗膜層１２を重ね塗りによって２倍厚さで内面形成したものである。
実施形態ｄは比較用の参考形態として、グローブ球１の球状透光体の内面全面にクリア（透明）の塗膜層１２を均一に１回塗りで形成したものである。
【００３２】
図７は縦軸を照度(Lx)、横軸を光源から下２ｍの位置での灯直下点（支持棒中央）からの距離として、実施形態ａｂｃｄの各発光部を有する防除灯の照度分布を示すグラフである。実施形態ｂ（実施例１）及び実施形態ｃ（実施例２）の照度は、ソケット部分による影が出来無い状態で測定した。
【００３３】
照度測定の結果、図７ｄに示すように、参考形態ｄでは、光が内部反射しない透明のグローブ球では直下の照度は極めて低いものとなっている。これに対して実施形態ａｂｃでは、球形の黄色塗装を施したグローブ球１を装着することによって、灯直下部０ｍ〜５ｍの範囲でも２２Ｌｘないし６０Ｌｘ程度の照度を保っており、灯元の光の不足が解消されている。これは、球形内の塗装面でLED光の一部が乱反射されるためである。
【００３４】
また実施形態ａと実施形態ｂｃとを比較してわかるように、下部塗膜層１２Ｂ、ないし上部塗膜層１２Ｄを、中央塗膜層１２Ｃよりも厚く形成することで、灯元直下（０〜４ｍの範囲）の照度が改善される結果となった。すなわち実施形態ａでは距離が０ｍに近づくほど照度が７５Ｌｘを超えて８３Ｌｘ程度まで急激に増加するのに対し、実施形態ｂ、ｃでは多くの光が乱反射することで、この灯元直下（０〜４ｍの範囲）の照度が５０〜７５Ｌｘ程度となっており、支持棒近傍の照度が若干カットされている。このうち実施形態ｃのようにグローブ球の天頂部分をより濃く塗装した場合には、上部塗膜層１２Ｄでより多くの光が乱反射され、間接照射によって灯元近傍（０〜３ｍの範囲）の照度が７０〜７５Ｌｘ程度となっている。また、実施形態ｂのように下方を濃く塗装した場合は、下部塗膜層１２Ｂ、底部塗膜層１２Ｃでより多くの光が乱反射されると共に、下部塗膜層１２Ｂへの透過時に屈折ないし減衰することで、灯元近傍（０〜３ｍの範囲）の照度が５０〜５８Ｌｘ程度となっている。
【００３５】
また実施形態ｂでは、実施形態ｃと比べて灯元から若干離れた範囲（０〜１０ｍの範囲）まで全体的に照度が若干下がっている。これは下方への透過光が減少されるためであって、下部塗膜層１２Ｂ，底部塗膜層１２Ｃを厚くした場合には下方へのさらなる減光調整ができることを示している。
【００３６】
このような減光調整によって、本害虫防除灯を防除目的とする栽培植物の生育障害を回避することができる。例えば、ショウガ等の作物は６０Ｌｘを超える強い光で障害を受け、灯元直下（０〜４ｍの範囲）で光害のため葉が黄化してしまう。これに対し、実施形態ｃのように近傍直下（０〜３ｍの範囲）まで減光調整することで、灯元の栽培植物への生育障害、すなわち光害を回避することができる。他にも苺、ホウレンソウ、青ジソ、枝豆、キク、カーネーション、バラ、スターチス、デルフィニウム、水稲などの栽培植物において、生育への影響があることがわかっている。
【００３７】
図８は実施形態ａ，ｃ、及び、光を上下に拡散照射する球型電球をランプに使用した比較形態ｅのそれぞれについて、ショウガ畑で使用した場合の照度測定結果である。実施形態ｅと比較すると、実施形態ａ，ｃのように、側方及び上方照射するコーン型形状のランプとすることで、支持棒直近（０ｍ〜２ｍ）の過多照度を８５Ｌｘ以下にカットすることができることがわかる。一方、支持棒直近（０ｍ〜２ｍ）から少し離れた灯元近傍（２ｍ〜５ｍ）の範囲においては、実施形態ｅと比較すると、実施形態ａ，ｃでは逆に照度を微増させたものとなっており、塗膜層１２を設けることでわずかな増光調整ができることを示している。
【００３８】
特に実施形態ａ、ｃを比較すると、灯元近傍（０〜３ｍの範囲）で照度を７０〜７４Ｌｘ程度の一定照度にすることができる。
【００３９】
図９は実施形態ｄ、ｅの各ランプについて、光強度（ａ．ｕ．）を縦軸、波長ｎｍを横軸とした、中央塗膜層の先、すなわち中央高さの照灯側部で測定した場合の波長分布の測定結果を示す。ランプの変更によって、光強度の分布のピークを抑えて全体的になめらかな光強度分布にすることができる。特に、実施形態ｄのように側方及び上方照射するコーン型形状のランプとすることで大きな波長分布傾向の変化がある。すなわち、４３０〜５５０ｎｍの波長では光強度を全体的に漸増させるものとなり、５５０〜６００ｎｍの波長では光強度の多数のピークやピーク毎のばらつきをなくして波長範囲全体で緩やかなピークを生じさせるものとなり、５００〜７５０ｎｍの波長ではの光強度を全体的に増やしたまま漸減させるものとなっている。特に５００〜５５０ｎｍの波長領域、６３０〜７００ｎｍの波長領域の両方の光強度を比較的まとまった強さで含んでいることで、ヤガ類の活動の抑制効果、並びに、オオタガコガやヨトウガの産卵抑制効果が得られる。
【００４０】
このように減光調整だけでなく僅かな増光調整を行うことで、光障害がなく栽培植物に適した灯元の照度であって、かつ、害虫の忌避効果を有する照度を設定することができる。具体的には、グローブ球への下部、上部、底部塗膜層の組み合わせを変えたり各範囲の塗膜層の厚さを変えたりすることで、栽培植物に応じて最適な光量と、害虫防除に最適の光の質に自在に変えることができる。また塗装膜の薄・濃の調整では光の透過・反射の管理になるためロスが極めて少なく、消費電力の低いランプを使用しつつ同等の効果が得られる。
【００４１】
その他本考案は上述した各実施形態に限定されることなく、上記構成同士の組合せ或いは抽出或いは公知技術との組合せによって、種々の変更が可能である。例えば中央部塗膜層よりも厚い上部、下部、底部の各各塗膜層の組合せの形態として、上部、下部、底部の全てを厚い塗膜層とするもの、上部及び底部を厚い塗膜層とするもの、底部のみを厚い塗膜層とするもの等が挙げられる。またほかに、境界層の位置の上下調整、厚さ調整をはじめ、グローブ球の形状の変更やソケットの平面視拡がり形状の変更が可能である。
【符号の説明】
【００４２】
４  支持棒
２  ソケット
３  縦型ランプ
１  グローブ球
３０  発光体
３０Ｌ  発光素子
３３  上方発光体カバー
１２塗膜層
１２Ａ  中央塗膜層
１２Ｂ  下部塗膜層
１２Ｃ  底部塗膜層
１２Ｄ  上部塗膜層
３４  ファン
１３Ｌ，１４Ｌ  層境界
【図１】
0003213543.tif 000003
【図２】
0003213543.tif 000004
【図３】
0003213543.tif 000005
【図４】
0003213543.tif 000006
【図５】
0003213543.tif 000007
【図６】
0003213543.tif 000008
【図７】
0003213543.tif 000009
【図８】
0003213543.tif 000010
【図９】
0003213543.tif 000011